(57)【要約】【課題】  防気性能を確保した通線チップを提供する。【解決手段】  通線チップ２０ａは、器体２００とスポンジ２０１との２部材からなり、器体２００は、矩形枠状に形成されたベース部２０２と、ベース部２０２の上部から連続一体に形成され造営面から後方へ離れる向きに膨出された膨出部２０３とが連続一体に形成されており、膨出部２０３の前面および上面は開放され、下面は後方になるにしたがって上方へ傾斜している。膨出部２０３内には弾性を有するスポンジ２０１が収納されており、スポンジ２０１の前面には上下方向のスリット２０５が上端から形成されている。そして、造営面Ｗの後面側から配線されている電線８０は、ボックス６０の上面側の挿通孔６０２を介して、スポンジ２０１のスリット２０５の上面側から挿入され、スリット２０５の前面側から導出される。【選択図】図１
2005261166.tif 000002
【特許請求の範囲】
【請求項１】
造営面に前後方向に開口した開口部を囲む取付枠に取り付けられて、電線が前後方向に挿通する通線部と、該通線部内で電線の外周に弾接して造営面の前面側と後面側との間で防気を行う防気部とを備えることを特徴とする通線チップ。
【請求項２】
前記通線部は、前方向あるいは後方向に突出して電線の通線方向の面を開放した膨出部からなり、前記防気部は、前記膨出部内に収納したスポンジからなり、電線は前記スポンジ内を挿通することを特徴とする請求項１記載の通線チップ。
【請求項３】
前記通線部は、前方向あるいは後方向に突出して電線の通線方向の面を開放した膨出部からなり、前記防気部は、前記膨出部内に設けた前記ブッシングからなり、電線は前記ブッシングを介して前記膨出部内を挿通することを特徴とする請求項１記載の通線チップ。
【請求項４】
電線が１本挿通する切欠き部を設けたカバーと、前記膨出部の開放面を開閉可能に前記カバーを前記膨出部に取り付ける軸支手段とを備えることを特徴とする請求項２または３記載の通線チップ。
【請求項５】
電線が１本挿通する切欠き部を設けて、前記膨出部の開放面に対して分離可能なノックアウト部を備えることを特徴とする請求項２記載の通線チップ。
【発明の詳細な説明】
【技術分野】
【０００１】
本発明は、造営面に設けた挿通孔から電線を引き込む通線チップに関するものである。
【背景技術】
【０００２】
従来、室内の壁等の造営面や床等に電線を通線する通線チップ、通線カバーがある。（例えば、特許文献１参照）。図２３〜図２５は、室内の壁等の造営面Ｗに電線８０を通線するための従来の構成を示しており、まず、室内の壁等の造営面Ｗには前後に貫通する矩形状に開口した取付孔９０が形成され、取付孔９０の前面周縁には矩形枠状の取付枠５０が固定される。そして、通線チップ２０ｇが取付枠５０に保持されることにより、通線チップ２０ｇが造営面Ｗに対して固定されるようになっている。
【０００３】
通線チップ２０ｇの器体２００は、左右方向（前面の短手方向）の寸法が取付枠５０に設けた開口窓５００の幅方向（左右方向）の寸法にほぼ等しく設定され、開口窓５００内下方に偏倚して配置されている。開口窓５００内上方には、左右方向の寸法が開口窓５００の幅方向の寸法にほぼ等しく設定されたブランクチップ３０が取付枠５０に保持されている。ここで、ブランクチップ３０は開口窓５００上下に３個並べて配置できるように設定されている。すなわち、取付枠５０に対して最大３個取り付けることができるようにモジュール化された寸法の１単位寸法で形成されている。また通線チップ２０ｇの器体２００の上下方向の寸法は、上述の単位モジュール寸法の２倍の寸法に形成されている。なお、通線チップ２０ｇの前面とは、通線チップ２０ｇを施工したときの室内側の面を意味する。
【０００４】
取付枠５０は金属製であって、上片５０２と下片５０３との左右両端間をそれぞれ側片５０４で連結した矩形枠状に形成されており、各側片５０４は後方に延長され、それぞれ３組の器具取付孔５０５を備える。器具取付孔５０５は左右２個ずつで合計４個を１組として配線器具を取り付けることができる。すなわち、通線チップ２０ａの器体２００の左右両側面には２個ずつの取付爪（図示なし）が形成されており、取付爪を器具取付孔５０５に係合させることによって、器体２００が取付枠５０に保持されるようにしてある。上片５０２および下片５０３の略中央には、ボックスねじ１６が挿通される長孔５０６と、長孔５０６の近傍に貫設されてプレートねじ１７が螺合するねじ孔５０７とがそれぞれ形成されている。上述した通線チップ２０ｇは、３組の器具取付孔５０５のいずれか２組を用いて取り付けることができ、図２３〜図２５では下方の２組の器具取付孔５０５に取り付けている。
【０００５】
ボックス６０は、前面を開口した函状に形成され、前面開口の上下端に螺設したねじ孔６０１に、取付枠５０の長孔５０６を前方から挿通したボックスねじ１６が螺合することで、取付孔９０の後面側に固定される。ボックス６０の上面及び下面には、電線が挿通する挿通孔６０２が左右方向に２つ各々形成されている。
【０００６】
取付枠５０の前側には、プラスチック等の成形材料により略長方形状の開口窓４００を有する枠状に形成されたプレート枠４０が取り付けられる。プレート枠４０の上片４０１，下片４０２の略中央にはプレートねじ１７が挿通される取付孔４０３がそれぞれ形成されており、プレート枠４０の取付孔４０３を前方から挿通したプレートねじ１７が、取付枠５０のねじ孔５０７に螺合することで、プレート枠４０が取付枠５０の前面に取り付けられる。
【０００７】
化粧プレート１０は、プラスチック等の成形材料により、略長方形状の開口窓１００を有する枠状に形成されている。そして、化粧プレート１０の後面に突設された結合爪（図示なし）が、プレート枠４０の左右両片にそれぞれ３箇所ずつ形成された結合孔４０４に前方から挿入され、化粧プレート１０の上記結合爪がプレート枠４０の後面において結合孔４０４の周部に係止されることによって、化粧プレート１０がプレート枠４０の前面に取り付けられる。
【０００８】
通線チップ２０ｇの器体２００は、図２６に示すように、矩形枠状に形成されたベース部２０２と、ベース部２０２の上部から連続一体に形成され造営面から後方へ離れる向きに膨出された膨出部２０３とが連続一体に形成されており、膨出部２０３の前面および上面は開放され、下面は後方になるにしたがって上方へ傾斜している。
【０００９】
そして、造営面Ｗの後面側から配線されている電線８０は、ボックス６０の上面側の挿通孔６０２を介して、膨出部２０３の上面側から挿入され、膨出部２０３の前面側から導出される。
【特許文献１】特開平５−３２６０６４号公報（段落番号［００１３］、図１（ａ），（ｂ）、図２）
【発明の開示】
【発明が解決しようとする課題】
【００１０】
しかし、上記従来例では、造営面Ｗの前面と後面との間は、膨出部２０３を介して通気可能であり、防気性能が低いものであった。
【００１１】
本発明は、上記事由に鑑みてなされたものであり、その目的は、防気性能を確保した通線チップを提供することにある。
【課題を解決するための手段】
【００１２】
請求項１の発明は、造営面に前後方向に開口した開口部を囲む取付枠に取り付けられて、電線が前後方向に挿通する通線部と、該通線部内で電線の外周に弾接して造営面の前面側と後面側との間で防気を行う防気部とを備えることを特徴とする。
【００１３】
この発明によれば、通線部内で防気部が電線の外周に弾接することで、電線周囲の空間を遮断して造営面の前面と後面との間の防気を確実に行うことができる。
【００１４】
請求項２の発明は、請求項１において、前記通線部は、前方向あるいは後方向に突出して電線の通線方向の面を開放した膨出部からなり、前記防気部は、前記膨出部内に収納したスポンジからなり、電線は前記スポンジ内を挿通することを特徴とする。
【００１５】
この発明によれば、電線の形状にしたがってスポンジが変形するので、電線の周囲に隙間が発生せず、防気を確実に行うことができる。
【００１６】
請求項３の発明は、請求項１において、前記通線部は、前方向あるいは後方向に突出して電線の通線方向の面を開放した膨出部からなり、前記防気部は、前記膨出部内に設けた前記ブッシングからなり、電線は前記ブッシングを介して前記膨出部内を挿通することを特徴とする。
【００１７】
この発明によれば、電線の形状にしたがってブッシングが変形するので、電線の周囲に隙間が発生せず、防気を確実に行うことができる。
【００１８】
請求項４の発明は、請求項２または３において、電線が１本挿通する切欠き部を設けたカバーと、前記膨出部の開放面を開閉可能に前記カバーを前記膨出部に取り付ける軸支手段とを備えることを特徴とする。
【００１９】
この発明によれば、電線を１本通線する場合は、カバーを閉状態とすることで膨出部を介した通気を最小限に抑えることができ、防気性能を向上させることができる。また、カバーを開状態とすることで電線を複数本通線することができる。
【００２０】
請求項５の発明は、請求項２において、電線が１本挿通する切欠き部を設けて、前記膨出部の開放面に対して分離可能なノックアウト部を備えることを特徴とする。
【００２１】
この発明によれば、電線を１本通線する場合は、ノックアウト部を分離しない状態で用いて膨出部を介した通気を最小限に抑えることができ、防気性能を向上させることができる。また、ノックアウト部を分離することで電線を複数本通線することができる。
【発明の効果】
【００２２】
以上説明したように、本発明では、通線部内で防気部が電線の外周に弾接することで、電線周囲の空間を遮断して造営面の前面と後面との間の防気を確実に行うことができるという効果がある。
【発明を実施するための最良の形態】
【００２３】
以下、本発明の実施の形態を図面に基づいて説明する。
【００２４】
（実施形態１）
本実施形態では、図１〜図３に示すように、室内の壁等の造営面Ｗには前後に貫通する矩形状に開口した取付孔９０が形成され、取付孔９０の前面周縁には矩形枠状の取付枠５０が固定される。そして、本実施形態の通線チップ２０ａが取付枠５０に保持されることにより、通線チップ２０ａが造営面Ｗに対して固定されるようになっている。
【００２５】
通線チップ２０ａの器体２００は、左右方向（前面の短手方向）の寸法が取付枠５０に設けた開口窓５００の幅方向（左右方向）の寸法にほぼ等しく設定され、開口窓５００内下方に偏倚して配置されている。開口窓５００内上方には、左右方向の寸法が開口窓５００の幅方向の寸法にほぼ等しく設定されたブランクチップ３０が取付枠５０に保持されている。ここで、ブランクチップ３０は開口窓５００上下に３個並べて配置できるように設定されている。すなわち、取付枠５０に対して最大３個取り付けることができるようにモジュール化された寸法の１単位寸法で形成されている。また通線チップ２０ａの器体２００の上下方向の寸法は、上述の単位モジュール寸法の２倍の寸法に形成されている。なお、通線チップ２０ａの前面とは、通線チップ２０ａを施工したときの室内側の面を意味する。
【００２６】
取付枠５０は金属製であって、上片５０２と下片５０３との左右両端間をそれぞれ側片５０４で連結した矩形枠状に形成されており、各側片５０４は後方に延長され、それぞれ３組の器具取付孔５０５を備える。器具取付孔５０５は左右２個ずつで合計４個を１組として配線器具を取り付けることができる。すなわち、通線チップ２０ａの器体２００の左右両側面には２個ずつの取付爪（図示なし）が形成されており、取付爪を器具取付孔５０５に係合させることによって、器体２００が取付枠５０に保持されるようにしてある。上片５０２および下片５０３の略中央には、ボックスねじ１６が挿通される長孔５０６と、長孔５０６の近傍に貫設されてプレートねじ１７が螺合するねじ孔５０７とがそれぞれ形成されている。上述した通線チップ２０ａは、３組の器具取付孔５０５のいずれか２組を用いて取り付けることができ、図１では下方の２組の器具取付孔５０５に取り付けている。
【００２７】
ボックス６０は、前面を開口した函状に形成され、前面開口の上下端に螺設したねじ孔６０１に、取付枠５０の長孔５０６を前方から挿通したボックスねじ１６が螺合することで、取付孔９０の後面側に固定される。ボックス６０の上面及び下面には、電線が挿通する挿通孔６０２が左右方向に２つ各々形成されている。
【００２８】
取付枠５０の前側には、プラスチック等の成形材料により略長方形状の開口窓４００を有する枠状に形成されたプレート枠４０が取り付けられる。プレート枠４０の上片４０１，下片４０２の略中央にはプレートねじ１７が挿通される取付孔４０３がそれぞれ形成されており、プレート枠４０の取付孔４０３を前方から挿通したプレートねじ１７が、取付枠５０のねじ孔５０７に螺合することで、プレート枠４０が取付枠５０の前面に取り付けられる。
【００２９】
化粧プレート１０は、プラスチック等の成形材料により、略長方形状の開口窓１００を有する枠状に形成されている。そして、化粧プレート１０の後面に突設された結合爪（図示なし）が、プレート枠４０の左右両片にそれぞれ３箇所ずつ形成された結合孔４０４に前方から挿入され、化粧プレート１０の上記結合爪がプレート枠４０の後面において結合孔４０４の周部に係止されることによって、化粧プレート１０がプレート枠４０の前面に取り付けられる。
【００３０】
ところで、本発明の要旨である通線チップ２０ａは、基本的には器体２００とスポンジ２０１との２部材からなる。器体２００は、矩形枠状に形成されたベース部２０２と、ベース部２０２の上部から連続一体に形成され造営面から後方へ離れる向きに膨出された膨出部２０３とが連続一体に形成されており、膨出部２０３の前面および上面は開放され、下面は後方になるにしたがって上方へ傾斜している。膨出部２０３内には弾性を有するスポンジ２０１が収納されており、スポンジ２０１の前面には上下方向のスリット２０５が上端から形成されている。
【００３１】
そして、造営面Ｗの後面側から配線されている電線８０は、ボックス６０の上面側の挿通孔６０２を介して、スポンジ２０１のスリット２０５の上面側から挿入され、スリット２０５の前面側から導出される。スポンジ２０１は弾性を有しており、スリット２０５は電線８０の形状にしたがって変形して電線８０の外周に弾接している。したがって、スリット２０５と電線８０との間には隙間が発生しないので、造営面Ｗの前面と後面との間の防気を確実なものとしている。
【００３２】
（実施形態２）
本実施形態は、実施形態１の通線チップ２０ａを通線チップ２０ｂに置き換えたものであり、図４〜図６に本実施形態の通線構造を示す。なお、実施形態１と同様の構成には同一の符号を付して説明は省略する。
【００３３】
本発明の要旨である通線チップ２０ｂは、基本的には器体２００とブッシング２１０との２部材からなる。器体２００は、矩形枠状に形成されたベース部２０２と、ベース部２０２の上部から連続一体に形成され造営面から後方へ離れる向きに膨出された膨出部２０３とが連続一体に形成されており、膨出部２０３の前面および上面は開放され、下面は後方になるにしたがって上方へ傾斜している。膨出部２０３の開放された上面には、ブッシング２１０が熱着、または接着、または圧着、または２色成形で覆設されており、ブッシング２１０は、弾性を有する材料で形成されて十字状の溝２１１を設けて、十字状の溝２１１の略中心を電線８０が挿通する。
【００３４】
そして、造営面Ｗの後面側から配線されている電線８０は、ボックス６０の上面側の挿通孔６０２を介して、ブッシング２１０を上面側から挿通し、膨出部２０３内を通って膨出部２０３の前面側から導出される。ブッシング２１０は弾性を有しており、ブッシング２１０は電線８０の形状にしたがって変形して電線８０の外周に弾接している。したがって、ブッシング２１０と電線８０との間には隙間が発生しないので、造営面Ｗの前面と後面との間の防気を確実なものとしている。
【００３５】
（実施形態３）
本実施形態は、図７（ａ），（ｂ），（ｃ）に示すように、実施形態１の通線チップ２０ａの膨出部２０３上面にカバー２２０を設けたもので、カバー２２０は、電線８０が１本挿通可能な切欠き部２２１をスポンジ２０１上面のスリット２０５が露出するように形成して、通線チップ２０ａの上面後端にヒンジ部２２２を用いて回動自在に軸支される。
【００３６】
そして、電線８０を１本通線する場合の通線構造は図８，図９に示され、通線チップ２０ａは、図７（ｃ）に示すように、カバー２２０を膨出部２０３上面に覆設させた閉状態で用いられ、ボックス６０の上面側の挿通孔６０２を通った１本の電線８０は、カバー２２０の切欠き部２２１を介してスポンジ２０１のスリット２０５の上面側から挿入され、スリット２０５の前面側から導出される。
【００３７】
したがって、電線８０が１本の場合は、スポンジ２０１の上面のうち電線８０が実際に挿通する箇所以外はカバー２２０によって覆われるので、スポンジ２０１を介した通気を最小限に抑えることができ、防気性能を向上させることができる。
【００３８】
また、電線８０を２本通線する場合の通線構造は図１０，図１１に示され、通線チップ２０ａは、図７（ａ）に示すように、カバー２２０を膨出部２０３の後面側に回動させた開状態で用いて、スポンジ２０１の上面を全て露出させ、ボックス６０の上面側の挿通孔６０２を各々通った２本の電線８０，８０は、膨出部２０３の上面開口２０６を介して、スポンジ２０１のスリット２０５の上面側から各々挿入され、スリット２０５の前面側から各々導出される。
【００３９】
なお、実施形態１と同様の構成には同一の符号を付して説明は省略する。
【００４０】
（実施形態４）
本実施形態は、図１２（ａ），（ｂ），（ｃ）に示すように、実施形態２の通線チップ２０ｂの膨出部２０３上面にカバー２２０を設けたもので、カバー２２０は、電線８０が１本挿通可能な切欠き部２２１をブッシング２１０の十字状の溝２１１が一部露出するように形成して、通線チップ２０ｂの上面後端にヒンジ部２２２を用いて回動自在に軸支される。
【００４１】
そして、電線８０を１本通線する場合、図１２（ｃ）に示すように、カバー２２０を膨出部２０３上面に覆設させた閉状態で用いられ、１本の電線８０は、カバー２２０の切欠き部２２１を介してブッシング２１０を上面側から挿通する。
【００４２】
したがって、電線８０が１本の場合は、ブッシング２１０の上面のうち電線８０が実際に挿通する箇所以外はカバー２２０によって覆われるので、ブッシング２１０を介した通気を最小限に抑えることができ、防気性能を向上させることができる。
【００４３】
また、電線８０を２本通線する場合、図１２（ａ）に示すように、カバー２２０を膨出部２０３の後面側に回動させた開状態で用いて、ブッシング２１０の上面を全て露出させ、２本の電線８０，８０は、膨出部２０３の上面開口２０６を介して、ブッシング２１０を上面側から各々挿通する。
【００４４】
なお、実施形態２と同様の構成には同一の符号を付して説明は省略する。
【００４５】
（実施形態５）
本実施形態は、図１３（ａ）に示すように、実施形態１の通線チップ２０ａの膨出部２０３上面にノックアウト部２３０を設けたもので、ノックアウト部２３０は、電線８０が１本挿通可能な切欠き部２３１をスポンジ２０１上面のスリット２０５が露出するように形成して（但し、図１３（ａ），（ｂ）において、スポンジ２１０は省略している）、通線チップ２０ａの上面開口２０６の後端および両側面に分離可能に結合している。そして、ノックアウト部２３０は、上方から押圧力を加えることによって、図１３（ｂ）に示すように、開口２０６の後端および両側面から分離して開口２０６を露出させる。
【００４６】
そして、電線８０を１本通線する場合の通線構造は図１４，図１５に示され、ノックアウト部２３０は、図１３（ａ）に示すように、ノックアウト前の状態で用いられ、ボックス６０の上面側の挿通孔６０２を通った１本の電線８０は、ノックアウト部２３０の切欠き部２３１を介してスポンジ２０１のスリット２０５の上面側から挿入され、スリット２０５の前面側から導出される。
【００４７】
したがって、電線８０が１本の場合は、スポンジ２０１の上面のうち電線８０が実際に挿通する箇所以外はノックアウト部２３０によって覆われるので、スポンジ２０１を介した通気を最小限に抑えることができ、防気性能を向上させることができる。
【００４８】
また、電線８０を２本通線する場合の通線構造は図１１，図１６に示され、ノックアウト部２３０は、図１３（ｂ）に示すように、ノックアウト後の状態で用いられ、スポンジ２０１の上面を全て露出させ、ボックス６０の上面側の挿通孔６０２を各々通った２本の電線８０，８０は、膨出部２０３の上面開口２０６を介して、スポンジ２０１のスリット２０５の上面側から各々挿入され、スリット２０５の前面側から各々導出される。
【００４９】
なお、実施形態１と同様の構成には同一の符号を付して説明は省略する。
【００５０】
（実施形態６）
本実施形態は、図１７に示すように、前方へ突出した通線チップ２０ｃを用いたもので、通線チップ２０ｃの器体２００の上下方向の寸法は、上述の単位モジュール寸法の３倍の寸法に形成されており、ブランクチップ３０は不要となっている。
【００５１】
本発明の要旨である通線チップ２０ｃは、基本的には器体２００とスポンジ２０１との２部材からなる。器体２００は、矩形枠状に形成されたベース部２７０と、ベース部２７０の下部から連続一体に形成され造営面から前方へ離れる向きに膨出された膨出部２７１とが連続一体に形成されており、膨出部２７１の後面および下面は開放され、上面は前方になるにしたがって下方へ傾斜している。膨出部２７１内には弾性を有するスポンジ２０１が収納されている。
【００５２】
そして、電線８０は、膨出部２７１の後面側からスポンジ２０１を挿通して、スポンジ２０１の下面から導出される。スポンジ２０１は弾性を有しており、スポンジ２０１は電線８０の形状にしたがって変形して電線８０の外周に弾接している。したがって、スポンジ２０１と電線８０との間には隙間が発生しないので、造営面Ｗの前面と後面との間の防気を確実なものとしている。
【００５３】
なお、実施形態１と同様の構成には同一の符号を付して説明は省略する。
【００５４】
（実施形態７）
実施形態１〜６においては、通線チップ２０ａまたは通線チップ２０ｂまたは通線チップ２０ｃを取付枠５０に対して前方から取り付ける構造であったが、本実施形態では、図１８〜図２２に示すように、通線チップ２０ｄを取付枠５０に対して後方から取り付ける構造としている。
【００５５】
本発明の要旨である通線チップ２０ｄは、基本的には器体２００とスポンジ２０１との２部材からなる。器体２００は、矩形枠状に形成されたベース部２５１と、ベース部２５１の前端から連続一体に形成され造営面から前方へ離れる向きに膨出された膨出部２５０とが連続一体に形成されており、膨出部２５０の後面および下面は開放され、前面上部は前方になるにしたがって下方へ傾斜している。膨出部２５０内には弾性を有するスポンジ２０１が収納されている。
【００５６】
また本実施形態では、プレート枠４０の開口窓４００に、略長方形状の開口窓７００を有する枠状に形成されたカバー７０が取り付けられており、開口窓７００の長手方向側面には、嵌合突起７０１が形成されている。
【００５７】
そして、化粧プレート１０、プレート枠４０、取付枠５０は、実施形態１と同様に互いに結合しており、通線チップ２０ｄは、後方からカバー７０の開口窓７００に挿入されて、通線チップ２０ｄのベース部２５１の両側面外側に形成された嵌合突起２５２が取付枠５０の器具取付孔５０５に嵌合することによって、器体２００が取付枠５０に保持されるようにしてある。さらに、通線チップ２０ｄの膨出部２５０の両側面後部に形成された嵌合孔２５４が、カバー７０の嵌合突起７０１に嵌合することによって、カバー７０が器体２００に保持されるようにしてある。このとき、ベース部２５１の前端に形成した段部２５３が取付枠５０の開口窓５００の周縁部５０６に係止しており、通線チップ２０ｄに前方への力が加わっても、器体２００全体が取付枠５０に引っ掛かるため、通線チップ２０ｄが外れにくくなっている。
【００５８】
また、電線８０は、膨出部２５０の後面側から、スポンジ２０１を挿通して、スポンジ２０１の下面から導出される。スポンジ２０１は弾性を有しており、スポンジ２０１は電線８０の形状にしたがって変形して電線８０の外周に弾接している。したがって、スポンジ２０１と電線８０との間には隙間が発生しないので、造営面Ｗの前面と後面との間の防気を確実なものとしている。
【図面の簡単な説明】
【００５９】
【図１】本発明の実施形態１の通線チップを用いた通線構造の分解斜視図を示す。
【図２】同上の構成を示し、（ａ）は前面図、（ｂ）は（ａ）のＡ１−Ａ１断面図である。
【図３】同上の全体斜視図を示す。
【図４】本発明の実施形態２の通線チップを用いた通線構造を示し、（ａ）は前面図、（ｂ）は（ａ）のＡ２−Ａ２断面図である。
【図５】同上の全体斜視図を示す。
【図６】同上の通線チップの斜視図を示す。
【図７】本発明の実施形態３の通線チップの斜視図を示し、（ａ）はカバーの開状態、（ｂ）はカバーの回動途中状態、（ｃ）はカバーの閉状態である。
【図８】同上の通線チップを用いた電線１本時の通線構造を示し、（ａ）は前面図、（ｂ）は（ａ）のＡ３−Ａ３断面図である。
【図９】同上の全体斜視図を示す。
【図１０】同上の通線チップを用いた電線２本時の通線構造を示し、（ａ）は前面図、（ｂ）は（ａ）のＡ４−Ａ４断面図である。
【図１１】同上の全体斜視図を示す。
【図１２】本発明の実施形態４の通線チップの斜視図を示し、（ａ）はカバーの開状態、（ｂ）はカバーの回動途中状態、（ｃ）はカバーの閉状態である。
【図１３】本発明の実施形態５の通線チップの斜視図を示し、（ａ）はノックアウト前の状態、（ｂ）はノックアウト後の状態である。
【図１４】同上の通線チップを用いた電線１本時の通線構造を示し、（ａ）は前面図、（ｂ）は（ａ）のＡ５−Ａ５断面図である。
【図１５】同上の全体斜視図を示す。
【図１６】同上の通線チップを用いた電線２本時の通線構造を示し、（ａ）は前面図、（ｂ）は（ａ）のＡ６−Ａ６断面図である。
【図１７】本発明の実施形態６の通線チップを用いた通線構造の側面断面図を示す。
【図１８】本発明の実施形態７の通線チップを用いた前面図を示す。
【図１９】同上のＡ７−Ａ７断面図を示す。
【図２０】同上の化粧カバーとプレート枠との下面図を示す。
【図２１】同上のカバーと取付枠と通線チップとの下面断面図を示す。
【図２２】図１８のＢ１−Ｂ１断面図を示す。
【図２３】従来の通線チップを用いた通線構造の分解斜視図を示す。
【図２４】同上の構成を示し、（ａ）は前面図、（ｂ）は（ａ）のＡ８−Ａ８断面図である。
【図２５】同上の全体斜視図を示す。
【図２６】同上の通線チップの斜視図を示す。
【符号の説明】
【００６０】
１０  化粧プレート
２０ａ  通線チップ
３０  ブランクチップ
４０  プレート枠
５０  取付枠
６０  ボックス
８０  電線
９０  取付孔
２０１  スポンジ
２０５  スリット
Ｗ  造営面
【図１】
2005261166.tif 000003
【図２】
2005261166.tif 000004
【図３】
2005261166.tif 000005
【図４】
2005261166.tif 000006
【図５】
2005261166.tif 000007
【図６】
2005261166.tif 000008
【図７】
2005261166.tif 000009
【図８】
2005261166.tif 000010
【図９】
2005261166.tif 000011
【図１０】
2005261166.tif 000012
【図１１】
2005261166.tif 000013
【図１２】
2005261166.tif 000014
【図１３】
2005261166.tif 000015
【図１４】
2005261166.tif 000016
【図１５】
2005261166.tif 000017
【図１６】
2005261166.tif 000018
【図１７】
2005261166.tif 000019
【図１８】
2005261166.tif 000020
【図１９】
2005261166.tif 000021
【図２０】
2005261166.tif 000022
【図２１】
2005261166.tif 000023
【図２２】
2005261166.tif 000024
【図２３】
2005261166.tif 000025
【図２４】
2005261166.tif 000026
【図２５】
2005261166.tif 000027
【図２６】
2005261166.tif 000028